(57)【特許請求の範囲】
【請求項１】
セルラシステムにおけるモビリティ管理方法であって、
通信デバイスがマルチメディアブロードキャストマルチキャストサービス能力を有する少なくとも１つのセルを選択することに関して優先順位を決めるよう承認されていることを、受信した承認から判定する段階と、
マルチメディアブロードキャストマルチキャストサービス能力を有する１又はそれ以上のセルを含む少なくとも１つのキャリア上で、前記少なくとも１つのセルのうち、１つ（のみ）を選択する段階と、
伝送された情報に関してマルチメディアブロードキャストマルチキャストサービス能力を有する前記選択されたセル（のみ）を監視する段階と、
を含む方法。
【請求項２】
前記方法が、前記受信した承認に基づき選択するためにマルチメディアブロードキャストマルチキャストサービス能力を有する１又はそれ以上のセルを探索する段階を含む、請求項１に記載の方法。
【請求項３】
前記選択段階が、前記少なくとも１つの通信デバイスが選択するためのマルチメディアブロードキャストマルチキャストサービス可能なセルの受信したリスト及び／又は１又はそれ以上のマルチメディアブロードキャストマルチキャストサービス可能な周波数のリストから、１又はそれ以上のセルを選択する段階を含む、請求項１に記載の方法。
【請求項４】
前記方法が、前記１又はそれ以上のセルがマルチメディアブロードキャストマルチキャストサービス可能でない場合に選択のための１又はそれ以上のセルを除外する段階を含む、請求項１から３の何れかに記載の方法。
【請求項５】
前記除外する段階が、前記マルチメディアブロードキャストマルチキャストサービス不可能なセルについての測定を実行しない段階、又は前記マルチメディアブロードキャストマルチキャストサービス不可能なセルを選択しない段階を含む、請求項４に記載の方法。
【請求項６】
セルラシステムにおけるモビリティ管理方法であって、
マルチメディアブロードキャストマルチキャストサービス能力を有する少なくとも１つのセルを選択することに関して優先順位を決めるよう少なくとも１つの通信デバイスが承認されていることを判定する段階と、
マルチメディアブロードキャストマルチキャストサービス能力を有する前記少なくとも１つのセルのうち１つ（のみ）を選択することに関して優先順位を決めて、伝送された情報を監視するための承認を、前記少なくとも１つの通信デバイスに対して送信する段階と、
を含む方法。
【請求項７】
前記方法が、前記少なくとも１つの通信デバイスが選択するための１又はそれ以上のマルチメディアブロードキャストマルチキャストサービス可能なセルのリスト及び／又は１又はそれ以上のマルチメディアブロードキャストマルチキャストサービス可能な周波数のリストを送信する段階を含む、請求項６に記載の方法。
【請求項８】
プロセッサに請求項１から７の何れかに記載の方法を実行させるためのプログラム。
【請求項９】
セルラシステムにおけるモビリティ管理の装置であって、
通信デバイスがマルチメディアブロードキャストマルチキャストサービス能力を有する少なくとも１つのセルを選択することに関して優先順位を決めるよう承認されていることを、受信した承認から判定する手段と、
マルチメディアブロードキャストマルチキャストサービス能力を有する１又はそれ以上のセルを含む少なくとも１つのキャリア上で、少なくとも１つのセルのうち、１つ（のみ）を選択する手段と、
伝送された情報に関してマルチメディアブロードキャストマルチキャストサービス能力を有する前記選択されたセル（のみ）を監視する手段と、
を含む装置。
【請求項１０】
前記装置が、前記受信した承認に基づき選択するためにマルチメディアブロードキャストマルチキャストサービス能力を有する１又はそれ以上のセルを探索する手段を含む、請求項９に記載の装置。
【請求項１１】
前記選択手段が、マルチメディアブロードキャストマルチキャストサービス可能なセルの受信したリスト及び／又は１又はそれ以上のマルチメディアブロードキャストマルチキャストサービス可能な周波数から１又はそれ以上のセルを選択するように構成される、請求項９に記載の装置。
【請求項１２】
前記装置が、前記１又はそれ以上のセルがマルチメディアブロードキャストマルチキャストサービス可能でない場合に、選択のための１又はそれ以上のセルを除外する手段を含む、請求項９から１１の何れかに記載の装置。
【請求項１３】
前記除外手段が、前記マルチメディアブロードキャストマルチキャストサービス不可能なセルについての測定を実行しないか、又は前記マルチメディアブロードキャストマルチキャストサービス不可能なセルを選択しないように構成される、請求項１２に記載の装置。
【発明の詳細な説明】
【技術分野】
【０００１】
本発明は、通信ネットワーク内の通信デバイスのモビリティ管理に関し、より詳細には、マルチキャスト及び／又はブロードキャスト信号を受信する通信デバイスのモビリティ管理に関する。
【背景技術】
【０００２】
通信システムは、固定若しくはモバイル通信デバイス、基地局、サーバ及び／又は他の通信ノードのような２又はそれ以上のエンティティ間の通信セッションを可能にする設備とみなすことができる。通信システム及び互換性のある通信エンティティは、一般に、システムと関連する様々なエンティティが何を行うことが可能であるか、及びどのようにして達成されるべきかを明確に示す所与の規格又は仕様に従って動作する。例えば、規格、仕様及び関連するプロトコルは、通信デバイスがどのようにして通信システムにアクセスすることができるか、及び通信の様々な態様が通信デバイス間でどのようにして実行されるべきかについての方法を定めることができる。通信は、有線又は無線キャリア上で伝達することができる。無線通信システムにおいては、少なくとも２つのステーション間の通信の少なくとも一部が無線リンク上で行われる。
【０００３】
無線システムの実施例は、セルラネットワークのような公衆移動通信網（ＰＬＭＮ）、衛星ベース通信システム、及び例えば無線ローカルエリアネットワーク（ＷＬＡＮ）のような様々な無線ローカルネットワークを含む。無線システムは、セルに分割することができ、従ってこれらはセルラシステムと呼ばれることが多い。セルは、基地局によって提供される。セルは、様々な形状及びサイズを有することができる。セルは更に、セクタに分割することができる。ユーザのアクセスを可能にするセルの形状及びサイズ、並びにアクセスがセルのセクタ又はセルを経由して提供されるかどうかにかかわらず、このようなエリアは、無線サービスエリア又はアクセスエリアと呼ぶことができる。隣接無線サービスエリアは一般に、重なり合っており、従って、エリア内の通信は１よりも多い基地局に従うことができる。
【０００４】
ユーザは、適切な通信デバイスを用いて通信システムにアクセスすることができる。ユーザの通信デバイスは、ユーザ装置（ＵＥ）又は端末と呼ばれることが多い。通信デバイスは、他の相手との通信を可能にするのに適切な信号受信及び送信構成を備える。一般に通信デバイスは、スピーチ及びデータのような通信の受信及び送信を可能にするのに使用される。無線システムにおいて、通信デバイスは、例えばアクセスネットワークの基地局及び／又は別のユーザ装置のような別の通信デバイスと通信することができるトランシーバ・ステーションを提供する。通信デバイスは、ステーション、例えば基地局により提供されるキャリアにアクセスし、キャリア上で通信を送信及び／又は受信することができる。
【０００５】
通信容量の増大要求を満たすことを試みている通信システムの実施例は、第３世代移動体通信システム標準化プロジェクト（３ＧＰＰ）によって標準化されているアーキテクチャである。このシステムは、ユニバーサルモバイル電気通信システム（ＵＭＴＳ）無線アクセス技術のロング・ターム・エボリューション（ＬＴＥ）と呼ばれることが多い。ＬＴＥは、例えば、短いレイテンシー、高速なユーザデータレート（転送速度）、改善されたシステム容量（キャパシティ）及びカバレッジ、運用事業者におけるコスト削減等の様々な改善を達成することを目的としている。ＬＴＥの更なる展開は、ＬＴＥアドバンストと呼ばれることが多い。３ＧＰＰ  ＬＴＥ仕様の様々な展開ステージはリリースと呼ばれている。
【０００６】
ＬＴＥアドバンストにおいて、ネットワークノードは、例えばセル全体に対するカバレッジを提供することができるマクロｅＮｏｄｅＢ（ｅＮＢ）のようなワイドエリアネットワークノードとすることができる。或いはＬＴＥアドバンストにおいて、ネットワークノードは、ピコ（ｐｉｃｏ）ｅＮｏｄｅＢ（ピコｅＮＢ）のようなスモールエリアネットワークノードとすることができる。スモールエリアネットワークノードは、局所的なオフロードをサポートするように構成することができ、クローズド加入者グループ（ＣＳＧ）又はオープン加入者グループ（ＯＳＧ）に属するあらゆる１又は複数のＵＥをサポートすることができる。ピコｅＮＢは、例えばセルの範囲を拡張するように構成することができる。場合によっては、ワイドエリアネットワークノードとスモールエリアネットワークノードとの組み合わせを展開し、同一の周波数キャリア（例えば、同一チャネル展開）を使用して重なり合うセルレイヤを提供することができる。
【０００７】
ＬＴＥアドバンストの１つの態様は、ユニバーサルモバイル電気通信システム（ＵＭＴＳ）に対するマルチメディアブロードキャスト／マルチキャストサービス（ＭＢＭＳ）を提供できることである。ＭＢＭＳは、複数のエンドユーザ装置と通信するために複数のポイント・ツー・ポイント・リンクの代わりにブロードキャスト又はマルチキャストメッセージ配信を使用する。
【０００８】
ＵＭＴＳ又はＬＴＥネットワーク内で動作するＵＥは、３ＧＰＰによって定められている規格に従う手続きを使用して通信サービスを得ることができる。この規格は、これらのネットワークの両方に関して、無線インタフェース上で生じる無線システムパラメータ、データ伝送手続き、ネットワークプロトコル、制御メッセージ、及びベアラトラヒック交換の仕様を定めている。ＭＢＭＳは、サービスデータパケットをこれらのネットワーク内で複数のＵＥに効率的に伝送可能にすることによって効率的なセッション管理を可能にすることができる。この目的において、メッセージは、コアネットワークノードから複数のノードＢ（ｎＢ）に伝送することができる。各ＮＢは次に、一方向のポイント・ツー・マルチポイント（ＰｔＭ）伝送をＵＥに送信し、アイドルモード又はアクティブモードにあるＵＥがネットワークサービスデータを受信できるようになる。
【０００９】
マルチキャリア環境において、ＭＢＭＳブロードキャスト／マルチキャストは、特定のセルレイヤが、ＭＢＭＳブロードキャスト／マルチキャストにおいて効率的に無線リソースを使用できるように構成することができる。通信ネットワーク内の特定の場所において、様々な基地局によって提供される様々なセルサイズを有する複数のセルレイヤが存在することができる。ネットワークの特定のモビリティ管理基準は、ＵＥが狭いセルレイヤを提供する小型基地局にハンドオーバされ、一方、他のＵＥがマクロセルレイヤ上に存在し続けることを判定することができる。ネットワークが、ＭＢＭＳブロードキャスト／マルチキャストを受信できないＵＥについて認知していない場合に、問題が発生する可能性がある。ネットワークは、ＭＢＭＳブロードキャスト／マルチキャストをサポートしていない別のセルレイヤにＵＥをハンドオーバすることができ、このことは、ユーザ装置に対してＭＢＭＳ受信を中断させる可能性がある。
【発明の概要】
【００１０】
本発明の実施形態は、上記の課題の１つ又は複数に対処することを目的としている。
【００１１】
１つの実施形態によれば、少なくとも１つの通信デバイスがマルチメディアブロードキャストマルチキャストサービスを受信する意図があること、又はマルチメディアブロードキャストマルチキャストサービスを受信していることを第１の受信通知から判定する段階と、少なくとも１つのマルチメディアブロードキャストマルチキャストサービス可能なセルに関する情報を少なくとも１つの通信デバイスに送信する段階と、少なくとも１つのマルチメディアブロードキャストマルチキャストサービス可能なセルの測定情報を含む報告を少なくとも１つの通信デバイスから受信する段階と、少なくとも１つの通信デバイスに対して、マルチメディアブロードキャストマルチキャストサービスを提供することが可能な１又はそれ以上のセルを含む少なくとも１つのキャリア上で少なくとも１つのセルを選択することを開始する段階と、を含む方法が提供される。
【００１２】
このことは、ネットワークが、マルチメディアブロードキャストマルチキャストサービスを使用することに関する通信デバイスの意図についての情報を判定できることを意味する。
【００１３】
幾つかの実施形態において、選択されるセルは、マルチメディアブロードキャストマルチキャストサービス可能なセルである。別の実施形態において、選択されるセルは、マルチメディアブロードキャストマルチキャストサービス不可能なセルであるが、マルチメディアブロードキャストマルチキャストサービス不可能なセルのキャリアはまた、マルチメディアブロードキャストマルチキャストサービス可能なセルを含む。このようにして、マルチメディアブロードキャストマルチキャストサービス可能なセルは、マルチメディアブロードキャストマルチキャストサービス不可能なセルが選択された後に、選択することができる。
【００１４】
より詳細な実施形態によれば、方法は、１又はそれ以上のキャリア上で、少なくとも１つの通信デバイスの意図に基づく選択に対してマルチメディアブロードキャストマルチキャストサービスをサポートしていない１又はそれ以上のセルに関する情報を除外する段階を含むことができる。この情報は、少なくとも１つの通信デバイスに送信されることになる測定構成情報とすることができる。
【００１５】
マルチメディアブロードキャストマルチキャストサービスを受信する第１の受信通知は、通信デバイスに送信される要求に応答して受信することができる。要求は、継続的に通信デバイスに送信することができる。より詳細な実施形態において、要求は、ＭＢＭＳ制御チャネル上でブロードキャストされるＭＢＭＳカウンティング要求ＲＲＣメッセージとすることができる。加えて、又は代替として、応答は、ＭＢＭＳカウンティング応答ＲＲＣメッセージとすることができる。更に、ＭＢＭＳカウンティング要求ＲＲＣメッセージ及び／又はＭＢＭＳカウンティング応答ＲＲＣメッセージは、ＬＴＥ  Ｒｅｌ−１０通信デバイスと互換性があるものとすることができる。
【００１６】
ユーザ装置の状況は、マルチメディアブロードキャストマルチキャストサービスを受信することの受信した意図に応じて更新することができる。
【００１７】
本方法は、少なくとも１つの通信デバイスがもはやマルチメディアブロードキャストマルチキャストサービスを受信する意図がない第２の通知を少なくとも１つの通信デバイスから受信する段階を含むことができる。
【００１８】
ユーザ装置の状況は、第２の受信通知に応じて更新することができる。
【００１９】
選択段階は、少なくとも１つのキャリア上で、少なくとも１つの通信デバイスをハンドオーバすることに対してマルチメディアブロードキャストマルチキャストサービスをサポートすることが可能な隣接セルを選択する段階を含むことができる。
【００２０】
より詳細な実施形態において、隣接セルのリストは、１又はそれ以上のセルを除外するのに使用することができる。リストは、１又はそれ以上のキャリア上で、マルチメディアブロードキャストマルチキャストサービスをサポートすることが不可能な隣接セルのリストを含むことができる。加えて、又は代替として、リストは、１又はそれ以上のキャリア上で、マルチメディアブロードキャストマルチキャストサービスをサポートすることが可能な隣接セルのリストを含む。本方法は、ネットワーク要素及び好ましくはｅＮｏｄｅＢによって実行することができる。
【００２１】
別の実施形態によれば、セルラシステムにおけるモビリティ管理方法が提供され、該方法は、１又はそれ以上の隣接セルのマルチメディアブロードキャストマルチキャストサービス能力の通知を受信する段階と、マルチメディアブロードキャストマルチキャストサービスが可能な１又はそれ以上の隣接セルについてのセル測定を判定する段階と、１又はそれ以上の隣接セルについてのセル測定を含む報告を送信する段階と、を含む。
【００２２】
本方法は、少なくとも１つの隣接セルが、マルチメディアブロードキャストマルチキャストサービスをサポートしていない場合に、少なくとも１つの隣接セルについての測定を除外する段階を含むことができる。除外段階は、マルチメディアブロードキャストマルチキャストサービスをサポートしていない少なくとも１つの隣接セルに対してセル測定を実行しない段階を含むことができる。加えて、又は代替として、除外段階は、マルチメディアブロードキャストマルチキャストサービスをサポートしていない少なくとも１つの隣接セルについてのセル測定を報告から除外する段階を含むことができる。
【００２３】
本方法は、マルチメディアブロードキャストマルチキャストサービスをサポートしていない少なくとも１つの隣接セルについての測定を除外することに関する承認を受信する段階を含むことができる。本方法は、１又はそれ以上の隣接セルの能力についての通知から承認を決定する段階を含むことができる。
【００２４】
本方法は、通信デバイスによって実行することができる。好ましくは、デバイスは、接続モードにある。
【００２５】
別の実施形態によれば、セルラシステムにおけるモビリティ管理方法が提供され、該方法は、通信デバイスがマルチメディアブロードキャストマルチキャストサービス能力を有する少なくとも１つのセルを選択することに関して優先順位を決めるよう承認されていることを、受信した承認から判定する段階と、マルチメディアブロードキャストマルチキャストサービス能力を有する１又はそれ以上のセルを含む少なくとも１つのキャリア上で、少なくとも１つのセルを選択する段階と、伝送された情報に関してマルチメディアブロードキャストマルチキャストサービス能力を有する選択された少なくとも１つのセルを監視する段階と、を含む。
【００２６】
本方法は、受信した承認に基づき選択するためにマルチメディアブロードキャストマルチキャストサービス能力を有する１又はそれ以上のセルを探索する段階を含むことができる。
【００２７】
選択段階は、少なくとも１つの通信デバイスが選択するための、マルチメディアブロードキャストマルチキャストサービス可能なセルの受信したリスト及び／又は１又はそれ以上のマルチメディアブロードキャストマルチキャストサービス可能な周波数のリストから、１又はそれ以上のセルを選択する段階を含むことができる。
【００２８】
本方法は、１又はそれ以上のセルがマルチメディアブロードキャストマルチキャストサービス可能でない場合に、選択のために１又はそれ以上のセルを除外する段階を含むことができる。除外する段階は、マルチメディアブロードキャストマルチキャストサービス不可能なセルについての測定を実行しない段階又はマルチメディアブロードキャストマルチキャストサービス不可能なセルを選択しない段階を含むことができる。
【００２９】
更に別の実施形態によれば、セルラシステムにおけるモビリティ管理方法が提供され、該方法は、マルチメディアブロードキャストマルチキャストサービス能力を有する少なくとも１つのセルを選択することに関して優先順位を決めるよう少なくとも１つの通信デバイスが承認されていることを判定する段階と、承認を少なくとも１つの通信デバイスに送信して、マルチメディアブロードキャストマルチキャストサービス能力を有する少なくとも１つのセルを選択することに関して優先順位を決めて、伝送された情報を監視する段階と、を含む。
【００３０】
本方法は、少なくとも１つの通信デバイスが選択するための１又はそれ以上のマルチメディアブロードキャストマルチキャストサービス可能なセルのリスト及び／又は１又はそれ以上のマルチメディアブロードキャストマルチキャストサービス可能な周波数のリストを送信する段階を含むことができる。本方法は、ネットワーク要素によって及び具体的なｅＮｏｄｅＢにおいて実行することができる。
【００３１】
更に別の実施形態によれば、セルラシステムにおけるモビリティ管理方法が提供され、該方法は、マルチメディアブロードキャストマルチキャストサービス制御チャネル上で通信デバイスに要求を送信する段階と、通信デバイスから要求に対する応答を受信する段階と、少なくとも１つの通信デバイスが、マルチメディアブロードキャストマルチキャストサービスを受信する意図があること又はマルチメディアブロードキャストマルチキャストサービスを受信していることを、受信した応答通知から判定する段階とを含み、通信デバイスに送信される要求は、継続的に送信される。本方法は、ネットワーク要素によって及び具体的なｅＮｏｄｅＢにおいて実行することができる。
【００３２】
方法を実行するよう適合されたプログラムコード手段を含むコンピュータプログラムも提供することができる。
【００３３】
更に別の実施形態によれば、セルラシステムにおけるモビリティ管理のための装置が提供され、該装置は、少なくとも１つの通信デバイスがマルチメディアブロードキャストマルチキャストサービスを受信する意図があること、又はマルチメディアブロードキャストマルチキャストサービスを受信していることを第１の受信通知から判定する手段と、少なくとも１つのマルチメディアブロードキャストマルチキャストサービス可能なセルに関する情報を少なくとも１つの通信デバイスに送信する手段と、少なくとも１つのマルチメディアブロードキャストマルチキャストサービス可能なセルの測定情報を含む報告を少なくとも１つの通信デバイスから受信する手段と、少なくとも１つの通信デバイスに対して、マルチメディアブロードキャストマルチキャストサービスを提供することが可能な１又はそれ以上のセルを含む少なくとも１つのキャリア上で少なくとも１つのセルを選択することを開始する手段とを含む。
【００３４】
更に別の実施形態によれば、セルラシステムにおけるモビリティ管理のための装置が提供され、該装置は、少なくとも１つのプロセッサ、及びコンピュータコードを含む少なくとも１つのメモリを備え、該少なくとも１つのメモリ及びコンピュータコードは、少なくとも１つのプロセッサと共に、少なくとも１つの通信デバイスがマルチメディアブロードキャストマルチキャストサービスを受信する意図があること、又はマルチメディアブロードキャストマルチキャストサービスを受信していることを第１の受信通知から判定する段階と、少なくとも１つのマルチメディアブロードキャストマルチキャストサービス可能なセルに関する情報を少なくとも１つの通信デバイスに送信する段階と、少なくとも１つのマルチメディアブロードキャストマルチキャストサービス可能なセルの測定情報を含む報告を少なくとも１つの通信デバイスから受信する段階と、少なくとも１つの通信デバイスに対して、マルチメディアブロードキャストマルチキャストサービスを提供することが可能な１又はそれ以上のセルを含む少なくとも１つのキャリア上で少なくとも１つのセルを選択することを開始する段階と、を装置に少なくとも実行させるように構成される。
【００３５】
本装置は、ネットワーク要素、及び詳細にはｅＮｏｄｅＢとすることができる。本装置は、１又はそれ以上のキャリア上で、少なくとも１つの通信デバイスの意図に基づく選択に対してマルチメディアブロードキャストマルチキャストサービスをサポートしていない１又はそれ以上のセルに関する情報を除外する手段を含むことができる。
【００３６】
本装置は、マルチメディアブロードキャストマルチキャストサービスを受信する受信意図に応じてユーザ装置の状況を更新する手段を含むことができる。
【００３７】
本装置は、少なくとも１つの通信デバイスがもはやマルチメディアブロードキャストマルチキャストサービスを受信する意図がない第２の通知を少なくとも１つの通信デバイスから受信する手段を含むことができる。
【００３８】
本装置は、第２の受信通知に応じてユーザ装置の状況を更新する手段を含むことができる。
【００３９】
選択手段は、少なくとも１つのキャリア上で、少なくとも１つの通信デバイスをハンドオーバすることに対してマルチメディアブロードキャストマルチキャストサービスをサポートすることが可能な隣接セルを選択することができる。
【００４０】
更に別の実施形態によれば、セルラシステムにおけるモビリティ管理の装置が提供され、該装置は、１又はそれ以上の隣接セルのマルチメディアブロードキャストマルチキャストサービス能力の通知を受信する手段と、マルチメディアブロードキャストマルチキャストサービスが可能な１又はそれ以上の隣接セルについてのセル測定を判定する手段と、１又はそれ以上の隣接セルについてのセル測定を含む報告を送信する手段とを含む。
【００４１】
更に別の実施形態によれば、セルラシステムにおけるモビリティ管理の装置が提供され、該装置は、少なくとも１つのプロセッサ、及びコンピュータコードを含む少なくとも１つのメモリを含み、少なくとも１つのメモリ及びコンピュータコードは、少なくとも１つのプロセッサと共に、１又はそれ以上の隣接セルのマルチメディアブロードキャストマルチキャストサービス能力の通知を受信する段階と、マルチメディアブロードキャストマルチキャストサービスが可能な１又はそれ以上の隣接セルについてのセル測定を判定する段階と、１又はそれ以上の隣接セルについてのセル測定を含む報告を送信する段階と、を本装置に少なくとも実行させるように構成される。
【００４２】
本装置は、少なくとも１つの隣接セルが、マルチメディアブロードキャストマルチキャストサービスをサポートしていない場合に、少なくとも１つの隣接セルについての測定を除外する手段を含むことができる。
【００４３】
除外手段は、マルチメディアブロードキャストマルチキャストサービスをサポートしていない少なくとも１つの隣接セルに対してセル測定を実行することを阻止することができる。除外手段は、マルチメディアブロードキャストマルチキャストサービスをサポートしていない少なくとも１つの隣接セルについてのセル測定を報告から除外することができる。
【００４４】
本装置は、マルチメディアブロードキャストマルチキャストサービスをサポートしていない少なくとも１つの隣接セルについての測定を除外することに関する承認を受信する手段を含むことができる。
【００４５】
本装置は、１又はそれ以上の隣接セルの能力についての通知から承認を決定する手段を含むことができる。
【００４６】
本装置は、通信デバイスとすることができ、好ましくは接続モードにある通信デバイスとすることができる。
【００４７】
更に別の実施形態によれば、セルラシステムにおけるモビリティ管理の装置が提供され、該装置は、通信デバイスがマルチメディアブロードキャストマルチキャストサービス能力を有する少なくとも１つのセルを選択することに関して優先順位を決めるよう承認されていることを、受信した承認から判定する手段と、マルチメディアブロードキャストマルチキャストサービス能力を有する１又はそれ以上のセルを含む少なくとも１つのキャリア上で、少なくとも１つのセルを選択する手段と、伝送された情報に関してマルチメディアブロードキャストマルチキャストサービス能力を有する選択された少なくとも１つのセルを監視する手段と、を含む。
【００４８】
更に別の実施形態によれば、セルラシステムにおけるモビリティ管理の装置が提供され、該装置は、少なくとも１つのプロセッサ、及びコンピュータコードを含む少なくとも１つのメモリを含み、少なくとも１つのメモリ及びコンピュータコードは、少なくとも１つのプロセッサと共に、通信デバイスがマルチメディアブロードキャストマルチキャストサービス能力を有する少なくとも１つのセルを選択することに関して優先順位を決めるよう承認されていることを、受信した承認から判定する段階と、マルチメディアブロードキャストマルチキャストサービス能力を有する１又はそれ以上のセルを含む少なくとも１つのキャリア上で少なくとも１つのセルを選択する段階と、伝送された情報に関してマルチメディアブロードキャストマルチキャストサービス能力を有する選択された少なくとも１つのセルを監視する段階と、を装置に少なくとも実行させるように構成される。
【００４９】
本装置は、受信した承認に基づき選択するためにマルチメディアブロードキャストマルチキャストサービス能力を有する１又はそれ以上のセルを探索する手段を含むことができる。
【００５０】
選択する手段は、マルチメディアブロードキャストマルチキャストサービス可能なセルの受信したリスト及び／又は１又はそれ以上のマルチメディアブロードキャストマルチキャストサービス可能な周波数から１又はそれ以上のセルを選択するように構成することができる。
【００５１】
本装置は、１又はそれ以上のセルがマルチメディアブロードキャストマルチキャストサービス可能でない場合に、選択するための１又はそれ以上のセルを除外する手段を含むことができる。
【００５２】
除外手段は、マルチメディアブロードキャストマルチキャストサービス不可能なセルの測定を実行しない又はマルチメディアブロードキャストマルチキャストサービス不可能なセルを選択しないように構成することができる。
【００５３】
更に別の実施形態によれば、セルラシステムにおけるモビリティ管理の装置が提供され、該装置は、少なくとも１つの通信デバイスがマルチメディアブロードキャストマルチキャストサービス能力を有する少なくとも１つのセルを選択するよう承認されていることを判定する手段と、承認を少なくとも１つの通信デバイスに送信して、マルチメディアブロードキャストマルチキャストサービス能力を有する少なくとも１つのセルを選択し、伝送された情報に関して監視する手段とを含む。
【００５４】
更に別の実施形態によれば、セルラシステムにおけるモビリティ管理のための装置が提供され、該装置は、少なくとも１つのプロセッサ、及びコンピュータコードを含む少なくとも１つのメモリを含み、少なくとも１つのメモリ及びコンピュータコードは、少なくとも１つのプロセッサと共に、少なくとも１つの通信デバイスがマルチメディアブロードキャストマルチキャストサービス能力を有する少なくとも１つのセルを選択するよう承認されていることを判定する段階と、承認を少なくとも１つの通信デバイスに送信して、マルチメディアブロードキャストマルチキャストサービス能力を有する少なくとも１つのセルを選択し、伝送された情報に関して監視する段階と、を装置に少なくとも実行させるように構成される。
【００５５】
本装置は、少なくとも１つの通信デバイスが選択するための１又はそれ以上マルチメディアブロードキャストマルチキャストサービス可能なセルのリスト、及び／又は少なくとも１つの通信デバイスが選択するための１又はそれ以上マルチメディアブロードキャストマルチキャストサービス可能な周波数のリストを送信する手段を含むことができる。
【００５６】
更に別の実施形態によれば、セルラシステムにおけるモビリティ管理の装置が提供され、該装置は、マルチメディアブロードキャストマルチキャストサービス制御チャネル上で通信デバイスに要求を送信する手段と、通信デバイスから要求に対する応答を受信する手段と、少なくとも１つの通信デバイスがマルチメディアブロードキャストマルチキャストサービスを受信する意図があること、又はマルチメディアブロードキャストマルチキャストサービスを受信していることを受信した応答通知から判定する手段とを含み、通信デバイスに送信される要求は、継続的に送信される。
【００５７】
更に別の実施形態によれば、セルラシステムにおけるモビリティ管理のための装置が提供され、該装置は、少なくとも１つのプロセッサ、及びコンピュータコードを含む少なくとも１つのメモリを含み、少なくとも１つのメモリ及びコンピュータコードは、少なくとも１つのプロセッサと共に、マルチメディアブロードキャストマルチキャストサービス制御チャネル上で通信デバイスに要求を送信する段階と、通信デバイスから要求に対する応答を受信する段階と、少なくとも１つの通信デバイスがマルチメディアブロードキャストマルチキャストサービスを受信する意図があること、又はマルチメディアブロードキャストマルチキャストサービスを受信していることを受信した応答通知から判定する段階であって、通信デバイスに送信される要求が継続的に送信される段階と、を装置に少なくとも実行させるように構成される。
【００５８】
様々な他の態様及び更なる実施形態を以下の詳細な説明及び添付の特許請求の範囲において説明する。
【００５９】
ここで、以下の実施例及び添付図面を参照しながら例証として本発明を更に詳細に説明する。
【図面の簡単な説明】
【００６０】
【図１】幾つかの実施形態によるネットワークの概略図を示す。
【図２】幾つかの実施形態によるモバイル通信デバイスの概略図を示す。
【図３】幾つかの実施形態による制御装置の概略図を示す。
【図４】幾つかの実施形態によるマルチメディアマルチキャスト及びブロードキャストサービスネットワーク配置の概略的な説明を例示する図である。
【図５】幾つかの実施形態による方法についてのフロー図を示す。
【図６】幾つかの実施形態によるシグナリングフロー図を示す。
【図７】幾つかの実施形態による別のシグナリングフロー図を示す。
【図８】幾つかの別の実施形態による別のシグナリングフロー図を示す。
【図９】幾つかの別の実施形態によるシグナリングフロー図を示す。
【発明を実施するための形態】
【００６１】
以下では、モバイル通信デバイスにサービスを提供する無線又はモバイル通信システムに関して特定の例示的な実施形態を説明する。例示する実施形態を詳細に説明する前に、記載される実施例のベースとなる技術の理解を助けるために、無線通信システム、そのアクセスシステム、及びモバイル通信デバイスに関する特定の一般的原理について、図１から図４を参照して簡単に説明する。
【００６２】
モバイル通信デバイス又はユーザ装置１０１には一般に、少なくとも１つの基地局１０３或いはアクセスシステムの同様の無線送信器及び／又は受信機ノードを経由した無線アクセスが提供される。図１において、基地局１０３及び１０４によって提供される２つの隣接し且つ重なり合うアクセスシステム又は無線サービスエリア１００及び１１０が示されている。
【００６３】
しかしながら、２つのアクセスシステムではなく、あらゆる数のアクセスシステムを通信システムにおいて設けることができる点に留意されたい。アクセスシステムは、通信デバイスが通信システムにアクセスすることを可能にするセルラシステム又は別のシステムのセルによって提供することができる。基地局サイト１０３、１０４は、１又はそれ以上のセルを提供することができる。基地局は更に、複数のセクタ、例えば３つの無線セクタを提供することができ、各セクタがセル又はセルのサブエリアを提供する。セル内の全てのセクタは、同一の基地局によってサービスを提供することができる。セクタ内の無線リンクは、当該セクタに属する単一の論理的な識別子によって識別することができる。従って、基地局は、１又はそれ以上の無線サービスエリアを提供することができる。モバイル通信デバイス１０１並びに基地局１０３及び１０４は、同時に開放される１又はそれ以上の無線チャネルを有することができ、複数のソースに信号を送信する、及び／又は複数のソースから信号を受信することができる。基地局１０３、１０４は、重なり合うセルレイヤを提供することができ、幾つかの実施形態において、様々なサイズ及び特徴の複数のセルレイヤが存在することができる。
【００６４】
基地局１０３、１０４は一般に、少なくとも１つの適切な制御装置１０５、１０６により制御され、基地局１０３、１０４との通信における基地局の動作及びモバイル通信デバイス１０１の管理を可能にするようにする。制御装置１０５、１０６は、互いに又は他の制御エンティティと相互接続することができる。制御装置１０５、１０６は一般に、記憶キャパシティ３０１及び少なくとも１つのデータプロセッサ３０２を備えることができる。制御装置１０５、１０６及び機能は、複数の制御ユニット間に分散させることができる。幾つかの実施形態において、各基地局１０３、１０４は、制御装置を含むことができる。
【００６５】
セル境界又はエッジは、図１において単に例示の目的で概略的に示されている。セル又は他の無線サービスエリアのサイズ及び形状は、図１と同様のサイズの無指向性の形状とは大きく異なるものとすることができることを理解されたい。
【００６６】
特に、図１は、マクロｅＮＢ１０３とすることができるワイドエリア基地局１０３を示している。マクロｅＮＢ１０３は、セル１００のカバレッジ全体でデータを送信及び受信する。図１は更に、ピコｅＮＢ１０４である小型基地局又はアクセスポイントを示す。小型基地局のカバレッジは一般に、ワイドエリア基地局のカバレッジよりも狭い場合がある。小型ノード１０４により提供されるカバレッジは、マクロｅＮＢ１０３により提供されるカバレッジと重なり合う。ピコｅＮＢ１０４を用いて、マクロｅＮＢ１０３の元のセルカバレッジ１００の外側にマクロｅＮＢ１０３のカバレッジを拡張することができる。ピコｅＮＢ１０４は更に、既存のセル１００内にカバレッジが存在していない「ギャップ」又は「シャドウ」内にセルカバレッジを提供するのに使用することができる。
【００６７】
代替として又はこれに加えて、ピコｅＮＢ１０４は、モバイル通信デバイス１０１にキャパシティの局所的オフロードを提供することができる。ピコｅＮＢ１０４は、クローズド加入者グループ（ＣＳＧ）のメンバであるモバイル通信デバイス１０４にのみサービスを提供することができる。或いは、ピコｅＮＢ１０４は、ピコｅＮＢ１０４の局所的なエリア内にある何れかのモバイル通信デバイスにサービスを提供することができる。幾つかの実施形態において、ピコｅＮＢ１０４は、オープンアクセス又はハイブリッドアクセスで構成することができる。
【００６８】
通信デバイス１０１は、符号分割多元接続（ＣＤＭＡ）又は広帯域ＣＤＭＡ（ＷＣＤＭＡ）のような様々なアクセス技術に基づく通信システムにアクセスすることができる。別の実施例は、時分割多元接続（ＴＤＭＡ）、周波数分割多元接続（ＦＤＭＡ）、及び、インターリーブド周波数分割多元接続（ＩＦＤＭＡ）、シングルキャリア周波数分割多元接続（ＳＣ−ＦＤＭＡ）、直交周波数分割多元接続（ＯＦＤＭＡ）、空間分割多元接続（ＳＤＭＡ）等のような様々な方式を含む。
【００６９】
通信システムにおける最近の展開の非限定的な実施例は、第３世代移動体通信システムの標準化プロジェクト（３ＧＰＰ）によって標準化されているユニバーサルモバイル電気通信システム（ＵＭＴＳ）のロング・ターム・エボリューション（ＬＴＥ）である。上記で説明したように、ＬＴＥの更なる展開は、ＬＴＥアドバンストと呼ばれている。適切なアクセスノードの非限定的な実施例は、セルラシステムの基地局、例えば、３ＧＰＰ仕様書の用語においてノードＢ（ＮＢ）として知られているものである。ＬＴＥは、進化型ユニバーサル地上波無線アクセスネットワーク（Ｅ−ＵＴＲＡＮ）として知られているモバイルアーキテクチャを採用している。このようなシステムの基地局は、進化型ノードＢ（ｅＮＢ）として知られており、ユーザプレーン無線リンク制御／媒体アクセス制御／物理レイヤプロトコル（ＲＬＣ／ＭＡＣ／ＰＨＹ）及びユーザデバイス向けの制御プレーン無線リソース制御（ＲＲＣ）プロトコル終端のようなＥ−ＵＴＲＡＮ機能を提供することができる。無線アクセスシステムの別の実施例は、無線ローカルエリアネットワーク（ＷＬＡＮ）及び／又はＭｉＭａｘ（ワールドワイド・インターオペラビリティ・フォー・マイクロウェーブ・アクセス）のような技術に基づいているシステムの基地局によって提供されるものを含む。
【００７０】
図１において、アクセスシステムの基地局１０３、１０４は、より広範囲の通信ネットワーク１０８に接続することができる。制御装置１０５、１０６は、アクセスシステムの動作を協働させるために提供することができる。ゲートウェイ機能１０７は更に、ネットワーク１０８を経由して別のネットワークに接続するために提供することができる。ピコｅＮｏｄｅＢ１０４は更に、同じゲートウェイ機能１０７によって別のネットワークに接続することができる。或いは、ピコｅＮＢ１０４は、（図示せず）別のゲートウェイ機能によってより広範囲のネットワーク１０８に接続することができる。基地局１０３、１０４は、データを送信及び受信するため通信リンクによって互いに接続することができる。通信リンクは、基地局１０３、１０４間でデータを送信及び受信するための何れかの適切な手段とすることができ、幾つかの実施形態において、通信リンクは、Ｘ２リンクである。
【００７１】
別のネットワークは、何れかの適切なネットワーク、例えばインターネット又は社内イントラネットとすることができる。従って、より広範囲の通信システムは、１又はそれ以上の相互接続ネットワーク及びその要素によって提供することができ、様々なネットワークを相互接続するために、１又はそれ以上のゲートウェイを提供することができる。
【００７２】
次に、図２を参照してより詳細にモバイル通信デバイスを説明する。図２は、ユーザが通信用に使用することができる通信デバイス１０１の概略部分断面図を示している。このような通信デバイスは、ユーザ装置（ＵＥ）又は端末と呼ばれることが多い。適切なモバイル通信デバイスは、無線信号を送信及び受信することが可能な何れかのデバイスによって提供することができる。非限定的な実施例は、携帯電話、若しくは「スマートフォン」として知られているもの、無線インタフェースカード若しくは別の無線インタフェース機器を備えたポータブルコンピュータ、無線通信機能が提供される携帯情報端末（ＰＤＡ）、又は、これらの何れかの組み合わせ、又は同様のもののようなモバイルステーション（ＭＳ）を含む。モバイル通信デバイスは、例えば、音声、電子メール（ｅｍａｉｌ）、テキストメッセージ、マルチメディア等のような通信を伝達するためのデータ通信を提供することができる。従って、ユーザは、通信デバイスを経由した様々なサービスを提示及び提供することができる。これらのサービスの非限定的な実施例は、二者間通話（ｔｗｏ−ｗａｙ  ｃａｌｌ）若しくは多者間通話（ｍｕｌｔｉ−ｗａｙ  ｃａｌｌ）、データ通信、マルチメディアサービス、又は単に、インターネットのようなデータ通信ネットワークシステムへのアクセスを含む。ユーザは更に、ブロードキャスト又はマルチキャストデータを提供することができる。コンテンツの非限定的な実施例は、ダウンロード、テレビ及びラジオ番組、ビデオ、広告、様々な警報、並びに他の情報を含む。
【００７３】
通信デバイス１０１は、受信用の適切な装置を経由して無線インタフェース２０７上で信号を受信することができ、無線信号を送信するための適切な装置を経由して信号を送信することができる。図２において、トランシーバ装置は、ブロック２０６で概略的に示されている。トランシーバ装置２０６は、例えば無線部分及び関連するアンテナ装置を用いて提供することができる。アンテナ装置は、内部的に又は外部的にモバイルデバイスに配置することができる。
【００７４】
通信デバイス１０１は更に、アクセスシステム及び他の通信デバイスへのアクセス並びにこれらとの通信を制御することを含む、実行するように設計されたソフトウェア及びハードウェア支援タスク実行で使用する少なくとも１つのデータ処理エンティティ２０１、少なくとも１つのメモリ２０２、及び他の実施可能な構成要素２０３を備えることができる。データ処理、記憶、及び他の関連する制御装置は、適切な回路基板上及び／又はチップセット内に設けることができる。この機能は、参照符号２０４で示されている。伝送パターンに関連する情報の受信及び処理、並びに本発明の特定の実施形態によるデータ処理機器を用いた信号ミューティングのためのモバイル通信デバイスを構成する観点で実施可能な制御機能を本明細書において後で説明する。
【００７５】
ユーザは、キーパッド２０５、音声命令、タッチ感応画面若しくはパッド、これらの組み合わせ、又は同様のもののような、適切なユーザインタフェースを用いてモバイルデバイスの動作を制御することができる。更に、画面２０８、スピーカ、及びマイクロフォンを設けることができる。更に、モバイル通信デバイスは、他のデバイスへの及び／又は、外部のアクセサリ、例えばハンズフリー装置を接続するための（有線又は無線の何れかの）適切なコネクタを含むことができる。
【００７６】
図３は、例えば、アクセスシステムの基地局１０３、１０４に結合され及び／又はこれらを制御するための通信システムのための制御装置１０５又は１０６の実施例を示している。幾つかの実施形態において、基地局１０３、１０４は、別々の制御装置１０５、１０６を含む。他の実施形態において、制御装置は、別のネットワーク要素とすることができる。制御装置１０５は、システムのサービスエリア内に存在しているモバイル通信デバイスによる通信の制御を提供するように配置することができる。制御装置１０５は、伝送パターン及び他の関連する情報の生成及び通信に関連して、並びに以下に説明する特定の実施形態によるデータ処理機器を用いた信号ミューティングのための制御機能を提供するように構成することができる。この目的において、制御装置１０５又は１０６は、少なくとも１つのメモリ３０１、少なくとも１つのデータ処理ユニット３０２、３０３、及び入力／出力インタフェース３０４を含むことができる。インタフェースを介して、制御装置は、基地局の受信機及び送信機に結合することができる。制御装置１０５又は１０６は、適切なソフトウェアコードを実行して、制御機能を提供するように構成することができる。
【００７７】
基地局装置、通信デバイス及び他の何れかの適切なステーションの必要とされるデータ処理装置及び機能は、１又はそれ以上のデータプロセッサを用いて提供することができる。各端にて説明される機能は、別々のプロセッサ又は統合されたプロセッサによって提供することができる。データプロセッサは、局所的な技術環境に好適なタイプのものとすることができ、非限定的な実施例として、汎用コンピュータ、特殊目的コンピュータ、マイクロプロセッサ、デジタルシグナルプロセッサ（ＤＳＰ）、特定用途集積回路（ＡＳＩＣ）、並びにマルチコアプロセッサアーキテクチャに基づくゲートレベル回路及びプロセッサの１又はそれ以上を含むことができる。データ処理は、幾つかのデータ処理モジュールにわたって分散させることができる。データプロセッサは、例えば、少なくとも１つのチップを用いて提供することができる。更に、適切なメモリキャパシティは、関連するデバイスにおいて提供することができる。１又は複数のメモリは、局所的な技術環境に好適な何れかのタイプとすることができ、例えば、半導体ベースメモリデバイス、磁気メモリデバイス及びシステム、光メモリデバイス及びシステム、固定メモリ及びリムーバブルメモリのような、何れかの好適な記憶技術を使用して実施することができる。
【００７８】
次に、マルチメディアマルチキャスト及びブロードキャストサービスネットワークの概略図を示す図４を参照する。幾つかの実施形態において、ＭＢＭＳネットワーク配置は、図１に示す配置の一部とすることができるが、明確にするために別個の図で示している。無線サービスエリア１００内の基地局１０３は、１又はそれ以上のコンテンツプロバイダ４１２、４１４、４１６からマルチメディアコンテンツをブロードキャストすることができる。基地局１０３は、Ｍ２接続を経由してＭＢＭＳ協調エンティティ４０２に接続することができ、ＭＢＭＳ協調エンティティ４０２は、ＭＢＭＳ単一周波数ネットワーク（ＭＢＳＦＮ）内の複数の基地局間でＭＢＭＳブロードキャストを協調することができる。幾つかの実施形態において、ＭＢＳＦＮ内に１又はそれ以上の基地局が存在することができる。モビリティ管理エンティティ（ＭＭＥ）４０４は、Ｍ３接続を経由してＭＣＥに接続される。ＭＭＥ４０４は、１又はそれ以上の無線サービスエリア間で通信デバイスの動作を決定し協調することができる。ＭＭＥ４０４は、ＭＢＭＳゲートウェイ（ＭＢＭＳ  ＧＷ）４０６内のＭＢＭＳ制御プレーンエンティティ４０８からＳｍ接続を経由してＭＢＭＳブロードキャストと関連する情報を受信する。ブロードキャストサービスマルチキャストセンタ（ＢＭＳＣ）４１０は、コンテンツプロバイダ４１２、４１４、及び４１６からブロードキャストされるコンテンツを受信し、ブロードキャストを協調して、ＳＧｍｂ接続を経由してＭＢＭＳ  ＧＷ  ４０６にブロードキャストされるデータを送信する。
【００７９】
次に、図５を参照して幾つかの実施形態の動作及び処理を説明する。図５は、幾つかの実施形態による方法のフロー図を示している。制御装置１０５のプロセッサ３０２は、図５のブロック５０２において示すように、少なくとも１つの通信デバイス１０１からの通知を受信することができる。この通知は、少なくとも１つの通信デバイス１０１がＭＢＭＳブロードキャストを受信する意図がある旨の情報を含むことができる。或いは、通知は、少なくとも１つの通信デバイス１０１がＭＢＭＳブロードキャストを受信していることの情報を含むことができる。
【００８０】
通信デバイス１０１がＭＢＭＳブロードキャストを受信することが可能であること、又は実際にＭＢＭＳブロードキャストを受信していると制御装置１０５のプロセッサ３０２が判定すると、該プロセッサ３０２は、通信デバイス１０１に関して、ＭＢＭＳブロードキャスト／マルチキャストを提供することが可能な少なくとも１つのキャリアを選択することを開始する。
【００８１】
このようにして、制御装置１０５のプロセッサ３０２は、通信デバイス１０１のＭＢＭＳ能力と関連する情報、及び通信デバイス１０１がＭＢＭＳキャリア上でＭＢＭＳサービスを使用する意図があるかどうかを判定することができる。このことは、ネットワークが、ＭＢＭＳ受信と干渉することなく、又は通信デバイス１０１がＭＢＭＳサービスを受信する能力がなくとも、ＭＢＭＳ能力を有するセルに通信デバイス１０１をハンドオーバできることを意味する。
【００８２】
任意選択的に、制御装置のプロセッサ３０２は、ブロック５０６に示すように、通信デバイス１０１がＭＢＭＳを受信する意図があるか又はＭＢＭＳを受信しているかどうかの通知をハンドオーバ準備段階の間に１又はそれ以上の隣接セルに送信することができる。ブロック５０８に示すように、隣接セル又は対象セルは次に、任意選択で、ブロック５０４に示すような更なるキャリア選択に関する通知を使用して、ブロック５０６に示すような複数の対象セルに通知を提供することができる。幾つかの実施形態において、対象セル又はｅＮｏｄｅＢは、通信デバイス１０１がもはやＭＢＭＳを受信する意図がないこと、又はもはやＭＢＭＳを受信していないことの通知をネットワークが通信デバイス１０１から受信するまで、ブロック５０４及び５０６の処理を繰り返すことができる。
【００８３】
次に、図６を参照して、幾つかのより詳細な実施形態を説明する。図６は、幾つかのより詳細な実施形態による方法のフロー図を開示している。
【００８４】
マクロｅＮｏｄｅＢ制御装置１０５のプロセッサ３０２は、矢印６０２で示されるように、通信デバイス１０１にメッセージを送信することができる。メッセージは、１又はそれ以上の隣接セル及び／又は周波数におけるＭＢＭＳ利用可能性についての情報を含むことができる。幾つかの実施形態において、通信デバイス１０１に送信されるメッセージは、通信デバイス１０１がセル測定を実行することの暗黙的承認とすることができる。幾つかの実施形態において、隣接セル内でのＭＢＭＳの利用可能性を示す情報を含むメッセージは、測定構成メッセージとすることができる。セル測定は、隣接基地局のセルエリアの信号レベルを判定できるように周期的に実行される。閾値並びに現在のセルエリアの信号パワー及び隣接セルエリアの信号パワーに応じて、制御装置１０５のプロセッサ３０２は、通信デバイス１０１上でハンドオーバを開始することができる。
【００８５】
通信デバイス１０１が、隣接セル内でのＭＢＭＳ利用可能性についての情報を含むメッセージを受信すると、ブロック６０４で示されるように、ＭＢＭＳ能力が利用可能でない隣接セルからの隣接セル測定を除外することができる。幾つかの実施形態において、通信デバイス１０１のプロセッサ２０１は、受信したＭＢＭＳ能力情報に基づき隣接セルのリストからＭＢＭＳ不可能な隣接セルを除外することができる。このようにして、通信デバイス１０１は、ハンドオーバさせることを望まないセルに関してセル測定を実行しない。加えて、又は代替として、通信デバイス１０１のプロセッサ２０１は、隣接セル測定が実行された後に隣接セルの測定を除外する。このようにして、通信デバイス１０１は、ｅＮｏｄｅＢ１０３に送信される報告メッセージからＭＢＭＳが利用不可能なセルに関して隣接セルに関する隣接セル測定結果を除外することができる。
【００８６】
通信デバイス１０１は次に、矢印６０６で示されるように、ｅＮｏｄｅＢに報告メッセージを送信することができる。幾つかの実施形態において、通信デバイス１０１は、ＭＢＭＳ能力を提示するセルのみからの隣接セル測定を報告する。ｅＮｏｄｅＢ１０３の制御装置１０５は、図５のブロック５０２と同様に、ブロック６０８で示されるように、通信デバイス１０１がＭＢＭＳ受信を受信する意図があることを隣接セル測定を含む報告メッセージから判定することができる。
【００８７】
幾つかの実施形態において、通信デバイス１０１がセルエリア内で移動している、すなわち換言するとアクティブモビリティモードである時に、通信デバイス１０１は、隣接セル測定を含む報告メッセージを送信する。 
【００８８】
次に、制御装置１０５は、ブロック６１０に示すように、現在のセルからのハンドオーバを通信が必要とする時に、通信デバイス１０１に対して隣接セルの少なくとも１つのキャリアを選択することを開始することができる。制御装置１０５は、通信デバイス１０１がＭＢＭＳブロードキャストをサポート可能なセルにハンドオーバされることになると判定する。
【００８９】
幾つかの実施形態において、ｅＮｏｄｅＢ１０３は、ＭＢＭＳブロードキャストを受信できるようにする通信デバイス１０１の要求の情報を対象基地局に送信することができる。このことは、対象基地局が更に、通信デバイス１０１がＭＢＭＳサービスを受信する意図があることを認識することができ、この要求に応じることができることを意味する。図６を参照して説明した実施形態において、ユーザ装置は、ネットワークに新しいことを報告する必要がなく、ネットワークは、通信デバイス１０１に固有のＭＢＭＳ情報を保持する必要がない。例えば、制御装置１０５のプロセッサ３０２は、ユーザ装置についての記録、例えばユーザ装置の状況においてＭＢＭＳ情報を保持する必要がない。
【００９０】
幾つかの実施形態において、マクロｅＮｏｄｅＢ１０３によって提供されるマクロセルレイヤ及びピコｅＮｏｄｅＢ１０４によって提供されるピコセルレイヤは、様々なキャリア上で展開することができる。すなわち、マクロセルレイヤ及びピコセルレイヤの周波数は様々である。幾つかの実施形態において、ＭＢＭＳブロードキャストサービスは、マクロセルレイヤ内でのみ提供することができる。制御装置１０５は、ＭＢＭＳブロードキャストを受信している通信デバイス１０１をマクロセルレイヤ内で保持状態を継続することを決定することができる。ｅＮｏｄｅＢ１０３は、無線リソース制御接続状態にある通信デバイス１０１に、ＭＢＭＳブロードキャストに対する隣接セルを含むキャリア周波数を通知することができる。ｅＮｏｄｅＢ１０３から通信デバイス１０１に送信されるＭＢＭＳ利用可能性は、図６の矢印６０２で示されるように、測定構成メッセージの一部とすることができる。或いは、ピコｅＮｏｄｅＢ１０４によって生成されるピコセルレイヤの周波数の異なるキャリアは、ＭＢＭＳ構成を提供しないものとして測定構成情報において通知することができる。幾つかの実施形態において、通知は、ＭＢＭＳサービスを提供しているピコセルレイヤのキャリア周波数に関して「適用不能」を伝えることができる。幾つかの実施形態において、ＭＢＭＳサービス利用可能性に関する情報は、メモリ内に格納することができる。
【００９１】
図６を参照して説明した実施形態において、通信デバイス１０１は、通信デバイス１０１のＭＢＭＳ受信がアクティブであるときに、インター周波数隣接セル測定から特定のキャリア周波数を除外する。
【００９２】
図７を参照して幾つかの更なる実施形態を説明する。図７は、幾つかの実施形態によるシグナリングフロー図を示している。幾つかの実施形態において、メッセージは、矢印７０２で示されるように、ｅＮｏｄｅＢ１０３から通信デバイス１０１に送信される。幾つかの実施形態において、メッセージは、システム情報を含む。更に別の実施形態において、ｅＮｏｄｅＢ１０３から通信デバイス１０１に送信される要求は、ＭＢＭＳカウンティング要求ＲＲＣメッセージ又は測定構成メッセージである。
【００９３】
ｅＮｏｄｅＢ１０３から通信デバイス１０１に送信されるメッセージ７０２に応答して、メッセージは、矢印７０４で示されるように、通信デバイス１０１からｅＮｏｄｅＢ１０３に送信される。メッセージ７０４は、通信デバイスがＭＢＭＳサービスに関心があること、又はＭＢＭＳサービスを受信していることを通知する。幾つかの実施形態において、ＭＢＭＳサービスを受信する意図があることを示す情報を含むメッセージは、ＭＢＭＳカウンティング応答無線リソース制御（ＲＲＣ）メッセージとすることができる。或いは、応答メッセージは、あらゆるシステム情報メッセージであってもよい。
【００９４】
次に、制御装置１０５のプロセッサ３０２は、通信デバイス１０１の意図に基づき測定構成メッセージを生成することができる。制御装置１０５は、矢印７０６で示されるように、測定構成メッセージを通信デバイス１０１に送信する。幾つかの実施形態において、測定構成情報は、利用可能なＭＢＭＳ能力を備えるＭＢＭＳ可能な隣接セル又はセルに関する情報のみを含む。
【００９５】
受信した測定構成情報に基づき、通信デバイスは、ブロック７０８で示されるように、ＭＢＭＳが可能な隣接セルのみを測定する。通信デバイス１０１は次に、矢印７１０で示されるように、隣接セル測定を含む報告メッセージを生成し送信する。報告メッセージは、ＭＢＭＳが可能な隣接セルの隣接セル測定のみを含むことができる。
【００９６】
次に、制御装置１０５は、その後のポイントにおいて必要である場合にＭＢＭＳ可能なセルへの通信デバイス１０１のハンドオーバを開始することができる。
【００９７】
図８を参照して幾つかの更なる実施形態を説明する。図８は、図７と同様であり、幾つかの別の実施形態によるシグナリングフロー図を開示している。通信デバイス１０１は、ｅＮｏｄｅＢ１０３にメッセージを送信して、ＭＢＭＳサービスを受信する意図を通知することができる。或いは、メッセージは、通信デバイス１０１が現在ＭＢＭＳサービスを受信していることを示す情報を含むことができる。幾つかの実施形態において、通信デバイス１０１からｅＮｏｄｅＢ１０３に送信されるメッセージは、ｅＮｏｄｅＢ１０３から送信される要求に対する応答とすることができる。ｅＮｏｄｅＢ１０３から通信デバイス１０１に送信される要求は、矢印８０２で示され、通信デバイス１０１からｅＮｏｄｅＢ１０３に送信される応答は、矢印８０４で示されている。幾つかの実施形態において、ＭＢＭＳサービスを受信する意図を示す情報を含むメッセージは、ＭＢＭＳカウンティング応答無線リソース制御（ＲＲＣ）メッセージとすることができる。応答メッセージは、幾つかの実施形態において、ＭＢＭＳカウンティング応答ＲＲＣメッセージとすることができる。
【００９８】
制御装置１０５は、ＭＢＭＳサービスを使用するユーザ装置の意図についての情報をメモリ３０１内に格納する。幾つかの実施形態において、制御装置１０５は、ブロック８０６に示すように、ユーザ装置の状況においてＭＢＭＳサービスを使用することの通信デバイスの意図を格納する。加えて、又は代替として、幾つかの実施形態において、制御装置１０５は、ユーザ装置の状況を更新する。
【００９９】
制御装置１０５は、ブロック８０８に示すように、測定構成情報を決定する。幾つかの実施形態において、制御装置１０５は、ＭＢＭＳサービスを使用することの通信デバイス１０１の意図を使用して測定構成情報を決定する。この方法において、測定構成情報は、ＭＢＭＳサービスをサポートしていないセル又は周波数を含まない。
【０１００】
次に、ｅＮｏｄｅＢ１０３は、矢印８１０に示すように、測定構成情報を通信デバイス１０１に送信する。通信デバイス１０１は、測定構成情報に応じて、図６を参照して説明したような処理と同様にブロック８１１に示すように隣接セルの測定を実行する。ブロック８１１は、図７のブロック７０８と同様である。通信デバイス１０１は、測定構成情報において指定されているセルに関してのみ隣接セル測定を実行する。このようにして、通信デバイス１０１は、ＭＢＭＳサービスを受信することができる隣接セルに関してのみ測定を実行する。図６を参照して説明した実施形態とは対照的に、通信デバイス１０１は、隣接セル測定を除外するステップを実行する必要がない。通信デバイス１０１は次に、ステップ８１２に示すように、セル測定の報告を含むメッセージをｅＮｏｄｅＢ１０３に送信する。
【０１０１】
制御装置１０５は、ブロック８１４に示すように、ＭＢＭＳサービスを提供可能な隣接セルの少なくとも１つのキャリアをハンドオーバ中に選択することを開始することができる。隣接セルの少なくとも１つのキャリアを選択することは、ＭＢＭＳブロードキャスト／マルチキャストをサポートすることができる１又はそれ以上の判定された基地局の測定に基づいている。
【０１０２】
幾つかの実施形態において、ｅＮｏｄｅＢ１０３は、通信デバイス１０１がＭＢＭＳサービスを使用する意図についての情報を対象の基地局にハンドオーバ中に送信する。このようにして対象の基地局は更に、通信デバイス１０１の意図についての同じ情報を利用することができる。このことは、対象の基地局がＭＢＭＳ能力を通信デバイス１０１に引き続き提供できることを意味する。
【０１０３】
幾つかの実施形態において、通信デバイス１０１は、矢印８１６で示されるように、メッセージをｅＮｏｄｅＢ１０３に送信して、通信デバイス１０１がもはやＭＢＭＳサービスを使用する意図がないことを通知することができる。制御装置は、ブロック８１８に示すように、通信デバイス１０１がもはやＭＢＭＳサービスを使用する意図がないことの通知を含むメッセージの受信に応じて、関連する装置状況を更新することができる。幾つかの実施形態において、通知を含むメッセージは、ＭＢＭＳカウンティング応答ＲＲＣメッセージとすることができる。
【０１０４】
次に、図８を参照して幾つかの別の実施形態を説明する。前述したように、通信デバイス１０１は、無線リソース制御接続状態にある場合に、図８における矢印８０２によって示されているＭＢＭＳカウンティング要求ＲＲＣメッセージを受信することができる。これに応答において、通信デバイス１０１は、通信デバイスがＭＢＭＳサービスを受信することに関心があることの通知信号を送ることができ、カウンティング応答ＲＲＣメッセージは、通信デバイス１０１がＭＢＭＳサービスを受信する意図を通知することができる。カウンティング応答ＲＲＣメッセージは、図８における矢印８０４で示されている。幾つかの実施形態において、カウンティング応答ＲＲＣメッセージは、ＭＢＭＳサービスを受信する意図を示すＭＢＳＦＮエリアのみを通知することができる。加えて、又は代替として、通信デバイス１０１は、通信デバイス１０１のＭＢＭＳ受信が、ＭＢＭＳサービスを使用する意図をネットワークに信号で送ることに関してアクティブ又はインアクティブであることを通知することができる。通信デバイス１０１は、カウンティング応答ＲＲＣメッセージを受信し、ブロック８０６に示すように、ユーザ装置の状況を更新する。
【０１０５】
次に、制御装置１０５は、ブロック８０８に示すように、測定構成情報を定める時にＭＢＭＳ能力を伴わないキャリア周波数を測定構成から除外することができる。
【０１０６】
加えて、通信デバイス１０１は、もはやＭＢＭＳサービスを受信することに関心がないことをｅＮｏｄｅＢ１０３に通知することができる。矢印８１６に示すように、通信デバイス１０１がもはやＭＢＭＳサービスを受信することに関心がないことの通知を含むメッセージに応答して、ネットワークは、測定構成から制約条件を削除することができる。例えば、矢印８１６で示されているメッセージは、メッセージ内に存在していないものとして信号送信される全ての特定の情報要素を有するＭＢＭＳカウンティング応答ＲＲＣメッセージとすることができ、通信デバイス１０１がもはやＭＢＭＳサービスを受信することに関心がないことを通知することができる。
【０１０７】
加えて、又は代替として、図８を参照して説明した実施形態は、通信デバイス１０１が、通信デバイス１０１のＭＢＭＳ受信状態に応じて更新された測定構成メッセージをｅＮｏｄｅＢ１０３から受信できる構成を提供する。すなわち、ｅＮｏｄｅＢ１０３の制御装置１０５は、通信デバイスのＭＢＭＳ受信状態に応じて測定構成情報を定める。
【０１０８】
ｅＮｏｄｅＢ１０３が更新された測定構成情報を通信デバイス１０１に送信する場合に、通信デバイス１０１は、関連する測定構成情報を受信する。このことは、通信デバイス１０１が隣接セル測定から隣接セルを除外する段階を実行する必要がないことを意味する。更に、インター周波数測定の目的においてデバイスに関するデータをスケジューリングする際のギャップである測定ギャップは、無用なインター周波数測定に関して構成されることがない。しかしながら、通信デバイス１０１は、ユーザ装置１０１のＭＢＭＳ受信状態における如何なる変化に関してもｅＮｏｄｅＢ１０３を同調させる。通信デバイス１０１は更に、図６を参照して説明した実施形態と同様のアイドルモードにおける特定のモビリティ手続きに関してサポートしている。このようにして、通信デバイス１０１は、アイドルモードにある場合には、図６を参照して説明した方法を実行することができ、アクティブモードにある場合には、図８を参照した方法を実行することができる。
【０１０９】
幾つかの別の実施形態において、加入者グループセルを囲むマクロセルを含む、利用可能なセルに関して異種のネットワーク展開が存在することができる。通信デバイス１０１は、通信デバイス１０１のＭＢＭＳ受信状態に関して、通信デバイス１０１と関連するＣＳＧセルの近接性を通知するのを排除することができる。このことは、制御装置１０５がＣＳＧキャリア上でどのような測定も構成しないことを意味する。
【０１１０】
幾つかの別の実施形態において、図６を参照して説明した実施形態と同様に、マクロセルレイヤ及びピコセルレイヤは共に同じキャリア周波数上で展開することができる。前述の実施形態と同様に、ＭＢＭＳブロードキャストは、マクロセルレイヤにおいてのみ提供することができる。このようにして、ｅＮｏｄｅＢ１０３の制御装置１０５は、ＭＢＭＳサービスを受信する通信デバイス１０１がマクロセルレイヤ内に存在し続けていることを判定することができる。幾つかの実施形態において、ネットワークは、隣接セルをリッスンせずにイントラ周波数測定構成に関する測定を判定することができる。幾つかの実施形態において、ｅＮｏｄｅＢ１０３の制御装置１０５は、特定のキャリア周波数のセルのリストを定めることができる。隣接セルリストは、ＭＢＭＳ能力をサポートしていない複数のセルを定めることができる。ＭＢＭＳ能力をサポートしていないセルのリストはまた、「ブラックセルリスト」として知られている。制御装置１０５がＭＢＭＳブロードキャスト能力のない隣接セルを含む特定のブラックセルリストを決定すると、ｅＮｏｄｅＢ１０３は、図６に示すような測定構成メッセージ６０２の一部として、ブラックセルリストを通信デバイス１０１に送信することができる。通信デバイス１０１は、隣接セル測定を実行する際に参照するためにメモリ内にブラックセルリストを格納することができる。このようにして、通信デバイス１０１は、隣接セルがブラックセルリスト内にあるかどうかを判定し、ブラックセルリスト上の隣接セルを隣接セル測定から除外することができる。
【０１１１】
或いは、制御装置１０５は、図８のブロック８０８に示すように測定構成情報を決定し、ブラックセルリストに基づき測定構成情報を更新することができる。
【０１１２】
幾つかの更なる代替の実施形態において、別の選択肢は、ＭＢＭＳブロードキャスト能力を有するセルのみのリストを作ることである。このようにして、ＭＢＭＳ能力をサポートしているセルのリストは、「ホワイトセルリスト」であると考えることができる。例えば、幾つかの状況においては、ピコｅＮｏｄｅＢを高密度に展開することがあり、ＭＢＭＳブロードキャストをサポートしていない全ての隣接セルのリストを提供することが実施可能でない場合がある。同様に、ＭＢＭＳブロードキャストをサポートすることができるピコセル展開のホワイトリストは、図６の測定構成メッセージ６０２の一部として通信デバイス１０１に送信することができる。或いは、制御装置１０５は、図８のブロック８０８に示すように、ＭＢＭＳブロードキャスト能力を有するピコセルのリストに基づき測定構成情報を定めることができる。
【０１１３】
幾つかの更なる実施形態において、Ｘ２セットアップ手順は、隣接セル／ｅＮｏｄｅＢにおけるＭＢＭＳブロードキャストサポートについての情報を通知することができる。このことは、どの隣接セルが同じＭＢＳＦＮエリアの一部であるかをｅＮｏｄｅＢ１０３が識別できることを意味する。制御装置１０５は、どの隣接セルが通信デバイス１０１に関して測定構成情報を用意する時に同じＭＢＳＦＮの一部であるかに関する情報を使用することができる。
【０１１４】
代わりに、又はこれに加えて、ｅＮｏｄｅＢ１０３は、ＭＢＭＳ協調エンティティ４０２を使用してＭＢＭＳ能力をサポートしている隣接セルについて通知することができる。単一のＭＣＥ４０２は、特定のＭＢＳＦＮエリアを制御し、従って、ＭＣＥ４０２は、どのｅＮｏｄｅＢが特定のＭＢＳＦＮエリアの一部であるかを認知することができる。幾つかの実施形態において、ｅＮｏｄｅＢ１０３は、ＭＣＥ４０２からの各隣接セルに関して、セルが同じＭＢＳＦＮの一部であるかどうかをチェックする。或いは、ＭＣＥ４０２は、同じＭＢＳＦＮエリアの全てのセル及び全てのｅＮｏｄｅＢ部分の完全なリストをｅＮｏｄｅＢ１０３に配信する。セットアップ中に隣接ｅＮｏｄｅＢのＭＢＭＳブロードキャスト能力についての情報を提供することにより、動作中に長いセル識別子リストを信号送信することを回避することができる。
【０１１５】
次に、図８を参照して幾つかの更なる実施形態を説明する。幾つかの実施形態において、矢印８０２によって示されるＭＢＭＳカウンティング要求は、ＭＢＭＳサービスを識別するブロードキャストとすることができる。幾つかの実施形態において、ＭＢＭＳカウンティング要求は、継続的にブロードキャストすることができ、このようにして、ＭＢＭＳカウンティング要求は常時作動している。幾つかの実施形態において、ＭＢＭＳカウンティング要求は、ある時間期間中に複数回送信される。別の実施形態において、ＭＢＭＳカウンティング要求は、複数のサブフレームで周期的に送信することができる。幾つかの実施形態において、ＭＢＭＳカウンティング要求は、セル内でブロードキャストされている何れかのＭＢＭＳサービスについて通信デバイス１０１に情報を提供しないＭＢＭＳ制御チャネル（ＭＣＣＨ）上でブロードキャストされる。実際に、幾つかの実施形態において、ＭＢＭＳカウンティング要求は、ＭＢＭＳサービスがブロードキャストされるキャリアと異なるキャリア上で継続的に送信することができる。このようにして、通信デバイス１０１は、該通信デバイス１０１が継続的に応答することになる常時作動のＭＢＭＳカウンティング要求をブロードキャストする特定のＭＣＣＨを継続的に受信しない。
【０１１６】
ＭＢＭＳカウンティング要求８０２を受信することに応答して、通信デバイス１０１は、図８の矢印８０４で示されるように、通信デバイス１０１が関心のあるサービスを通知するＭＢＭＳカウンティング応答で応答する。このようにして、ユーザ装置１０１は、通信デバイス１０１がＭＢＭＳサービスを使用する意図についてｅＮｏｄｅＢ１０３に通知する。このことは、通信デバイス１０１がユニキャストサービスと並行してＭＢＭＳサービスを受信することができる周波数キャリアにハンドオーバされるようネットワークが保証することができることを意味する。幾つかの実施形態において、通信デバイス１０１は、ＭＢＭＳサービスを使用する意図をネットワークに通知しない場合がある。この事例において、通信デバイス１０１は、（例えば、新しいサービスに関するカウンティング要求が現れるので）ＭＣＣＨ変更通知に気付かない限り、ＭＣＣＨ上での最初の受信後にＭＢＭＳカウンティング要求を受信しない場合がある。このことは、常時作動のカウンティング要求により、通信デバイス１０１からの応答が繰り返される結果をもたらさないことを意味する。
【０１１７】
幾つかの実施形態において、「常時作動」カウンティング要求、及びＲｅｌ  １０のカウンティング要求は共に並行して適用することができる。幾つかの実施形態において、常時作動のカウンティング要求は、同一キャリア上でブロードキャストされるＭＢＭＳサービスについての制御情報も通知するＭＣＣＨ上で知らせることができない。このことは、通信デバイスがカウンティング要求に定期的に応答することを回避するためである。Ｒｅｌ  １０カウンティング要求は、ｅＮｏｄｅＢ１０３によってＭＣＥ４０２に報告されて、ＭＣＥがカウンティング結果を集約してサービス需要についての情報を導き出すことができるようになる。幾つかの実施形態において、ｅＮｏｄｅＢ１０３は、常時作動のカウンティング要求についてのカウンティング結果を転送しないが、常時作動のカウンティング要求に応答する通信デバイスからのカウンティング応答を使用して、通信デバイスが関心のあるサービスを提供する周波数キャリアにハンドオーバされるべきかどうかを判定する。
【０１１８】
幾つかの状況において、通信デバイス１０１は、ＲＲＣ接続状態ではない場合があり、通信デバイス１０１は、ＭＢＭＳブロードキャストを提供するキャリアを見つけ選択することができる。幾つかの実施形態において、通信デバイスは、ＭＢＭＳカウンティング要求に気付き、ある時間周期後にＭＣＣＨを再チェックすることができる。通信デバイス１０１は次に、ＭＢＭＳカウンティング要求に応答して、通信デバイス１０１がＭＢＭＳサービスを使用する意図を含む情報を送信することに決定する。
【０１１９】
通信デバイス１０１は、ＲＲＣアイドル状態であったことに起因してカウンティング要求を拒絶することがある。このことは、通信デバイス１０１がＭＢＭＳキャリアに対して再選択される前にＲＲＣ接続を要求することができることを意味する。この場合、通信デバイス１０１は、ＭＣＣＨを再チェックすることができ、ＭＢＭＳカウンティング要求が継続的にブロードキャストされるので、通信デバイス１０１は、ＭＢＭＳカウンティング応答を送信し、ＭＢＭＳサービスを使用する意図をネットワークに通知することができる。
【０１２０】
幾つかの実施形態において、ＭＣＣＨは、Ｅ−ＵＴＲＡＮが１又はそれ以上の特定のＭＢＭＳサービスを受信することに関心があるユーザ装置のＲＲＣ接続状態にある数をカウントすることを望む場合に、ＭＢＭＳカウンティング要求メッセージを伝えることができる。幾つかの実施形態において、カウンティング要求メッセージは、セルのシステム情報の一部としてブロードキャストすることができる。幾つかの実施形態において、常時作動のカウンティング要求は、セルの隣接するグループを含む所与のＭＢＳＦＮ上でブロードキャストすることができる。幾つかの実施形態において、堅牢な伝送パラメータがＭＢＭＳカウンティング要求を伝送するのに使用され、通信デバイスによって集められる隣接セル干渉が低減されるようになる。このことは、ＲＲＣアイドル状態にある通信デバイス１０１が、常時作動のカウンティング要求を別の周波数のセル上でＭＢＭＳサービスを探索する通知として解釈できることを意味する。このことは、通信デバイス１０１がＭＢＭＳサービスを盲目的に探す必要性を低減し、従って、モバイル通信デバイス１０１の電力消費量を低減することができる。
【０１２１】
次に、図９を参照して幾つかの別の実施形態を説明する。図９は、幾つかの別の実施形態によるシグナリングフロー図を示している。ｅＮｏｄｅＢ１０３は、通信デバイス１０１が、アイドルモードにある場合に、ブロック９０２に示すようにＭＢＭＳ可能なセルの選択に関して優先順位を決めるよう承認されていることを判定する。ｅＮｏｄｅＢ１０３は次に、矢印９０４で示されるように、明示的承認をダウンリンクメッセージにおいて通信デバイスに送信する。幾つかの実施形態において、ダウンリンクメッセージは、通信デバイス１０１専用のメッセージとすることができる。代わりに、又はこれに加えて、承認を含むダウンリンクメッセージは、ｅＮｏｄｅＢ１０３の無線ネットワークエリア内の１又はそれ以上の通信デバイスにブロードキャストすることができる。幾つかの実施形態において、承認を含むメッセージは、何れかの適切なダウンリンクメッセージとすることができる。
【０１２２】
通信デバイス１０１は、承認を受信する。通信デバイス１０１は、アイドルモードにある場合に、通信デバイスが監視する特定のセルの選択に関して優先順位を決めることができることを承認から判定する。幾つかの実施形態において、通信デバイスは、キャンプオンするマルチメディアブロードキャストマルチキャストサービス可能なセルの優先順位を決める。アイドルモードにおいて、通信デバイス１０１は次に、ブロック９０６に示すように、キャンプオンするＭＢＭＳ可能なセルを選択する。通信デバイス１０１は次に、選択されたＭＢＭＳ可能なセル上で伝送された情報を監視することができる。例えば、通信デバイスは、ページング情報を監視することができる。
【０１２３】
幾つかの実施形態において、通信デバイスは、ＭＢＭＳ可能なセルのリストをその中から選択するためにｅＮｏｄｅＢ１０３から受信する。加えて、又は代替として、デバイスはまた、ＭＢＭＳをサポートすることが可能な周波数のリストを受信することができる。幾つかの実施形態において、メッセージは、承認及びＭＢＭＳ可能セルのリストの両方を含む。通信デバイス１０１は、承認を受信した後、セル測定からＭＢＭＳ不可能なセルを除外し、また、選択から非ＭＢＭＳ可能セルを除外することができる。
【０１２４】
ＬＴＥアドバンストに関して実施形態を説明してきたが、同様の原理は、他の何れの通信システムにも適用できる点に留意されたい。更に、基地局によって提供されるキャリアの代わりに、構成要素キャリアを含むキャリアをモバイルユーザ装置のような通信デバイスによって提供することができる。例えば、これは、固定装置は提供されないが、例えばアドホックネットワーク内で複数のユーザ装置を用いて通信システムが提供される用途の場合とすることができる。従って、特定の実施形態を無線ネットワーク、技術及び規格に関して特定の例示的なアーキテクチャを参照して例証として上述したが、これらの実施形態は、本明細書において例証し説明したもの以外の他の何れかの好適な形態の通信システムにも適用することができる。
【０１２５】
また、本明細書において、本発明の例示的な実施形態を上述したが、本発明の範囲から逸脱することなく開示した解決手段に対して幾つかの変形及び変更を行うことができる点に留意されたい。
【０１２６】
一般に、様々な実施形態は、ハードウェア若しくは特殊目的の回路、ソフトウェア、ロジック、又はこれらの何れかの組み合わせで実施することができる。本発明のある態様は、ハードウェアで実施することができ、一方、別の態様は、コントローラ、マイクロプロセッサ、又は他のコンピューティングデバイスにより実行できるファームウェア又はソフトウェアで実施することができるが、本発明はこれらに限定されるものではない。本発明の種々の態様は、ブロック図、フローチャート、又は他の図形的表現を使用して例示され説明することができるが、本明細書で説明されるブロック、装置、システム、技術又は方法は、非限定的な実施例として、ハードウェア、ソフトウェア、ファームウェア、特殊目的回路又はロジック、汎用ハードウェア又はコントローラ又は他のコンピューティングデバイス、或いはこれらの幾つかの組み合わせで実施できることは十分に理解される。
【０１２７】
本発明の実施形態は、プロセッサエンティティにおけるようなモバイルデバイスのデータプロセッサによって実行可能なコンピュータソフトウェアによって、又はハードウェアによって、或いはソフトウェアとハードウェアの組み合わせによって実施することができる。１又はそれ以上の実施形態の方法において説明したプロセスの何れもが、別々のソフトウェア及び／又はハードウェアモジュール、或いは単一の処理モジュールによって実行することができる。
【０１２８】
更にこの点に関して、図に示すようなロジックフローの何れかのブロックは、プログラムステップ又は相互接続されたロジック回路、ブロック及び機能、或いはプログラムステップとロジック回路、又はブロックと機能の組み合わせを表すことができる点に留意されたい。ソフトウェアは、メモリチップ又はプロセッサ内で実行されるメモリブロックのような物理的媒体、ハードディスク又はフロッピー（登録商標）ディスクのような磁気媒体、並びに例えばＤＶＤ及びそのデータ変種すなわちＣＤなどの光媒体上に格納することができる。
【０１２９】
メモリは、局所的技術環境に適するどのような種類のものであってもよく、あらゆる適切なデータ記憶技術、例えば半導体ベースメモリデバイス、磁気メモリデバイス及びシステム、光メモリデバイス及びシステム、固定メモリ及びリムーバブルメモリを用いて実施することができる。
【０１３０】
上述の説明は、例示的で非限定的な実施例として本発明の例示的な実施形態の完全且つ有益な説明を提供した。しかしながら、上述の説明の観点で、添付図面及び添付の特許請求の範囲に関連して読めば、様々な変更及び改作が当業者には明らかになることができる。但し、本発明の教示の全てのこのような及び同様の変更は、添付の特許請求の範囲において定められる本発明の範囲内に依然としてある。実際に、前述した他の実施形態の何れかの１又はそれ以上の組み合わせを含む別の実施形態が存在する。
【符号の説明】
【０１３１】
１０１  通信デバイス
１０３  基地局（マクロｅＮｏｄｅＢ）
１０４  基地局（ピコｅＮｏｄｅＢ）
１０５  制御装置
１０６  制御装置
２０６  トランシーバ装置
３０１  メモリ
３０２  データ処理ユニット
３０３  データ処理ユニット
３０４  入力／出力インタフェース
４０２  ＭＢＭＳ協調エンティティ
４０４  モビリティ管理エンティティ（ＭＭＥ）
４０６  ＭＢＭＳゲートウェイ（ＭＢＭＳ  ＧＷ）
【図１】
0005781217.tif 000002
【図２】
0005781217.tif 000003
【図３】
0005781217.tif 000004
【図４】
0005781217.tif 000005
【図５】
0005781217.tif 000006
【図６】
0005781217.tif 000007
【図７】
0005781217.tif 000008
【図８】
0005781217.tif 000009
【図９】
0005781217.tif 000010